(57)【要約】      （修正有）【課題】願望の実現に利用可能なツールとして利用するのに最適な手帳を提供する。【解決手段】バインダー１７の裏表紙１４の裏面側に設けられたカード保持部１９と、このカード保持部に収納されるカード８とを有し、このカードに自己の願望を書き留める。上記カードは、上記裏表紙の裏面側に設けられたカードケース保持部に着脱可能に固定しうるカードケース２１に着脱可能に保持される。上記カードケースは上記カードを載置しうる基板部２２と、上記カードの四隅を挟み止めしうる固定部２３とを有している。上記カードケース保持部２７はポケット２８として形成され、上記ポケットは上記カードケースを出し入れするための開口部２９が上記裏表紙の幅方向に沿って対向するように配置されている。【選択図】図６
0003120455.tif 000002
【実用新案登録請求の範囲】
【請求項１】
バインダーの裏表紙の裏面側に設けられたカード保持部と、このカード保持部に収納されるカードとを有していることを特徴とする手帳。
【請求項２】
上記カードは、上記裏表紙の裏面側に設けられたカードケース保持部に着脱可能に固定しうるカードケースに着脱可能に保持されていることを特徴とする請求項１記載の手帳。
【請求項３】
上記カードケースは上記カードを載置しうる基板部と、上記カードの四隅を挟み止めしうる固定部とを有していることを特徴とする請求項２記載の手帳。
【請求項４】
上記カードケース保持部はポケットとして形成され、上記ポケットは上記カードケースを出し入れするための開口部が上記裏表紙の幅方向に沿って対向するように配置されていることを特徴とする請求項２〜３記載の手帳。
【請求項５】
上記カードケース保持部は、裏表紙の長さ方向に沿って設けられた帯状部材により形成され、上記カードケースは上記帯状部材と裏表紙との間に挟持されることを特徴とする請求項２〜４記載の手帳。
【考案の詳細な説明】
【技術分野】
【０００１】
本考案は手帳に係り、特に、自己の願望を実現するために役立つ手帳に関する。
【背景技術】
【０００２】
誰でも願望は持っているが、その願望を実現させる人は少ない。それは、願望を意識することが少なくなってそのうち願望を忘れてしまったり、願望を実現しようと努力せずに願望をあきらめてしまう人が多いからである。
【０００３】
願望を実現するためには、常に自己の願望を確認して忘れないように意識すること、願望を実現するための具体的なスケジュールを立てそのスケジュールに沿って行動するように努力すること、スケジュール通りに行動できなかった場合は反省してその原因を突き止めること、が特に重要である。したがって、これらを願望を実現するための行動基準にすることが望ましい。
【０００４】
一般的に、願望や、願望達成のためのアイデア等は、記録しておかない場合には忘れてしまう場合が多く、ノートに記録して保存する場合が多いが、一般に携帯用のノート、オーガナイザー等に記録する場合には、空白のページを探すためにページをめくり探す必要があり、迅速に書き留めることができない場合が多い。
従って、従来より、ふと思いついたアイデアや、願望等を迅速に書き留めることができるノートが要望されていた。
【０００５】
本出願人は、願望の実現に有効なツールとなりえる手帳等の先行技術について調査したが、関連する先行技術文献を見出すことはできなかった。
【考案の開示】
【考案が解決しようとする課題】
【０００６】
そこで本考案の課題は、願望の実現に利用可能なツールとして利用するのに最適な手帳を提供することにある。
【課題を解決するための手段】
【０００７】
上記課題を解決するために、請求項１記載の本考案に係る手帳は、バインダーの裏表紙の裏面側に設けられたカード保持部と、このカード保持部に収納されるカードとを有していることを特徴とするものである。
【０００８】
即ち、請求項１記載の本考案に係る手帳にあっては、自己の願望や、願望達成のためのアイデアをふと思いついた際に、バインダーの裏表紙の裏面側に設けられたカード保持部に収納されているカードを取り出し、そのカードに上記アイデアや願望を忘れないように書き留めることができる。そして、アイデアや願望を書き留めた上記カードは再び上記カード保持部に収納して紛失しないように保存することができる。
【０００９】
また、請求項２記載の本考案に係る手帳は、上記カードが、上記裏表紙の裏面側に設けられたカードケース保持部に着脱可能に固定しうるカードケースに着脱可能に保持されていることを特徴とする。
【００１０】
即ち、請求項２記載の本考案に係る手帳にあっては、上記カードはバインダーの裏表紙に設けられた上記カード保持部に直接収納されるのではなく、カードケースにより保持された状態で上記カード保持部に収納される。そして、上記カードケースを保持するために上記裏表紙の裏面側に設けられた上記カード保持部はカードケースを固定しうるカードケース保持部として形成されている。
【００１１】
また、請求項３記載の本考案に係る手帳は、上記カードケースが上記カードを載置しうる基板部と、上記カードの四隅を挟み止めしうる固定部とを有していることを特徴とする。
【００１２】
即ち、請求項３記載の本考案に係る手帳にあっては、上記カードが上記カードケースにおける上記基板部の上に載置され、かつ、その四隅が上記固定部において挟み止めされることにより固定される。したがって、上記カードが保存中に散失する心配がない。
また、上記カードにアイデアや願望を書き留める場合は、上記カードを上記基板部の上に載置し、上記基板部を下敷きとして利用することができる。
【００１３】
また、請求項４記載の本考案に係る手帳は、上記カードケース保持部がポケットとして形成され、上記ポケットは上記カードケースを出し入れするための開口部が上記裏表紙の幅方向に沿って対向するように配置されていることを特徴とする。
【００１４】
即ち、請求項４記載の本考案に係る手帳にあっては、上記カードケースを上記カードケース保持部に収納する場合は、カードケース保持部として形成された上記ポケットにカードケースを挿入することになる。また、カードにアイデアや願望を書き留める場合は、上記カードケースを上記ポケットから抜き取った状態で行うことができる。
また、上記ポケットに上記カードケースを出し入れするために設けられた開口部は、上記裏表紙の幅方向に沿って対向するように配置されているので、開口部が左右２箇所に存在し、使用者はカードケースを出し入れする場合に双方向可能で使用しやすい方の開口部を選択することができる。なお、通常使用する場合は、右側の開口部を取出口とするのが便利である。
【００１５】
また、請求項５記載の本考案に係る手帳は、上記カードケース保持部が、裏表紙の長さ方向に沿って設けられた帯状部材により形成され、上記カードケースは上記帯状部材と裏表紙との間に挟持されることを特徴とする。
【００１６】
即ち、請求項５記載の本考案に係る手帳にあっては、上記カードケース保持部は、裏表紙の長さ方向に沿って設けられた帯状部材における長さ方向の両端部のみが裏表紙に接合されることにより形成される。
また、上記カードケースは上記帯状部材と裏表紙との間に挟持され、上記カードケースは上記帯状部材の裏側に隠れることになる。したがって、裏表紙を開いた際にカードに書き留められたアイデアや願望が他人に覗き見される心配がない。
【考案の効果】
【００１７】
請求項１記載の本考案に係る手帳は、バインダーの裏表紙の裏面側に設けられたカード保持部と、このカード保持部に収納されるカードとを有していることから、自己の願望や願望達成のためのアイデアをふと思いついた際に、バインダーの裏表紙の裏面側に設けられたカード保持部に収納されているカードを取り出し、そのカードに上記アイデアや願望を忘れないように書き留めることができ、かつ、そのアイデアや願望を書き留めた上記カードを再び上記カード保持部に収納して紛失しないように保存することができるので、上記のアイデアや願望を忘れた場合に、上記カード保持部から上記カードを取り出して見ることにより上記アイデアや願望を容易に思い出すことができる。
そして、アイデアや願望を書き留める場合、上記カード保持部からカードを迅速に取り出せるので、従来のようにノートの空白ページを探すような煩雑さがない。
また、上記カードに書き留められた願望等を、後で別紙のスケジュール表等に整理して転記する場合に便利であり、願望実現のための具体的な行動計画を立てやすくなる。したがって、いつでも自己の願望を確認して意識しながら行動することができるので、願望が実現する可能性が大きくなる。
【００１８】
また、請求項２記載の本考案に係る手帳は、上記カードが、上記裏表紙の裏面側に設けられたカードケース保持部に着脱可能に固定しうるカードケースに着脱可能に保持されていることから、上記カードを上記カード保持部に収納する場合に、上記カードを上記カードケースに固定し、そのカードを固定した上記カードケースをバインダーの裏表紙に設けられた上記カードケース保持部に収納することになるので、カードを直接単独で上記カード保持部に収納するよりも作業が容易である。同様にカードを取り出す場合も上記カードケースと一緒に上記カードケース部から取り出してからカードをカードケースから取り外せばよいので、カードの取り外し作業も容易である。
【００１９】
また、請求項３記載の本考案に係る手帳は、上記カードケースが上記カードを載置しうる基板部と、上記カードの四隅を挟み止めしうる固定部とを有していることから、上記カードを上記基板の上に載置して保持することにより上記カードが折れ曲がったりする不具合を回避することができる。
また、上記カードは四隅を挟み止めするのみで簡単に基板上に固定することができると共に、上記カードに記載されたアイデア等が隠蔽されることがないので、上記アイデア等を即座に目視して確認することができる。    
また、上記カードにアイデアや願望を書き留める場合に、上記基板部を下敷きとして利用することができるので使い勝手が良い。
【００２０】
また、請求項４記載の本考案に係る手帳は、上記カードケース保持部がポケットとして形成され、上記ポケットは上記カードケースを出し入れするための開口部が上記裏表紙の幅方向に沿って対向するように配置されていることから、上記カードケースを上記カードケース保持部に収納する場合に、カードケース保持部として形成された上記ポケットにカードケースを挿入するだけでよく、また、カードにアイデアや願望を書き留める場合は、上記カードケースを上記ポケットから抜き取った状態で行うことができるので、使い勝手が良い。
また、上記ポケットに上記カードケースを出し入れするために設けられた開口部は、上記裏表紙の幅方向に沿って対向するように配置されているので、開口部が左右２箇所に存在し、使用者はカードケースを出し入れする場合に使用しやすい方を選択することができ、利便性が良い。
【００２１】
また、請求項５記載の本考案に係る手帳は、上記カードケース保持部が、裏表紙の長さ方向に沿って設けられた帯状部材により形成されることから、上記カードケース保持部の構造が極めてシンプルで、上記帯状部材における長さ方向の両端部のみを裏表紙に接合するだけで上記カードケース保持部を容易に形成することができる。したがって、製造コストを低減することができる。
また、上記カードケースは上記帯状部材と裏表紙との間に挟持されることから、上記カードケースが落下する心配がない。また、上記カードケースは上記帯状部材により覆われるので、裏表紙を開いた際にカードに書き留められたアイデアや願望が他人に覗き見される心配がない。
【考案を実施するための最良の形態】
【００２２】
以下、図面を用いて本考案の実施の形態について説明する。
本実施の形態に係る手帳１１は、図１〜図６に示すように、バインダー１７の裏表紙１４の裏面側に設けられたカード保持部１９と、このカード保持部１９に収納されるカード１８とを有している。
また、上記カード１８は、図５及び図６に示すように、上記裏表紙１４の裏面側に設けられたカードケース保持部２７に着脱可能に固定しうるカードケース２１に着脱可能に保持されている。
また、上記カードケース２１は、図３及び図５に示すように、上記カード１８を載置しうる基板部２２と、上記カード１８の四隅を挟み止めしうる固定部２３ａ，２３ｂ，２３ｃ，２３ｄとを有している。
また、上記カードケース保持部２７は、図１及び図６に示すように、ポケット２８として形成され、上記ポケット２８は上記カードケース２１を出し入れするための開口部２９ａ，２９ｂが上記裏表紙１４の幅方向に沿って対向するように配置されている。
また、上記カードケース保持部２７は、図１及び図６に示すように、裏表紙１４の長さ方向に沿って設けられた帯状部材３０により形成され、上記カードケース２１は上記帯状部材３０と裏表紙１４との間に挟持されるように形成されている。
【実施例１】
【００２３】
図は実施例１に係る手帳１１を示したものである。  
本実施例に係る手帳１１は、図１に示すように、オモテ表紙１２、背表紙１３及び裏表紙１４を有し、かつ上記背表紙１３の裏面側に所定数の開閉可能なリング１５ａ，１５ｂ，１５ｃ，１５ｄ，１５ｅ，１５ｆを有する綴じ具１６が取り付けられたバインダー１７として形成されている。
【００２４】
上記手帳１１には、図１に示すように、上記裏表紙１４の裏面側に、図２に示すカード１８を収納可能なカード保持部１９が設けられている。
【００２５】
上記カード１８は、図２に示すようにメモ欄２６を有している。上記メモ欄２６には５ｍｍの方眼３８が設けられている。
このカード１８は、例えば、自己の「夢管理カード」として機能する。
即ち、上記カード１８にはタイトル欄２０が設けられ、上記タイトル欄２０は、自己の願望に係るカテゴリー、例えば、仕事、趣味、教養、財産、健康、家庭等のタイトルを記載可能に形成されていると共に、メモ欄２６には、仕事、趣味、教養、財産、健康、家庭に関する自己の願望や目標、及び「時間は必ず守る」「他人の意見は」等の自己を律する行動基準等の内容を具体的に記載しうるように構成されている。
また、カード１８は、自己の「気づきメモ」としても使用することができ、日常の生活の中で、その都度気づいたことを、忘れないようにメモすることができる。なお、カード１８に記載したその都度気づいたことは、スケジュール表へ転記することが必要である。
【００２６】
上記カード１８を保持するために、図３に示すようなカードケース２１が設けられている。上記カードケース２１は、上記カード１８を載置しうる方形の基板部２２と、上記カード１８の四隅を挟み止めしうる固定部２３ａ，２３ｂ，２３ｃ，２３ｄとを有している。
【００２７】
上記固定部２３ａ，２３ｂ，２３ｃ，２３ｄは、図３に示すように、三角片２４ａ，２４ｂ，２４ｃ，２４ｄにより形成され、上記三角片２４ａ，２４ｂ，２４ｃ，２４ｄの裏側に上記カード１８の隅角部を潜入させて係合しうるように形成されている。
【００２８】
なお、上記基板部２２の裏面側には、図４に示すように、複数のポケット２５ａ，２５ｂ，２５ｃが設けられ、上記ポケット２５ｃは名刺を収納可能な名刺サイズに形成され、上記ポケット２５ａ，２５ｂは自己の願望を記載する上記カード１８を収納可能なサイズに形成されている。
【００２９】
上記カード１８は、図５に示すように、上記カードケース２１に着脱可能に保持される。即ち、上記カード１８は上記基板部２２の上に載置され、四隅の隅角部を上記三角片２４ａ，２４ｂ，２４ｃ，２４ｄの裏側に係合させることにより、着脱可能に固定される。
【００３０】
上記カード１８を保持した上記カードケース２１は、図６に示すように、上記裏表紙１４の裏面側に設けられたカード保持部１９に着脱可能に収納される。
即ち、上記カード１８は上記カードケース２１を介して上記カード保持部１９に収納される。
【００３１】
上記カード保持部１９は、図１に示すように、上記カードケース２１を収納しうるカードケース保持部２７として形成されている。
即ち、上記カードケース２１は上記カードケース保持部２７に収納されることになる。
【００３２】
上記カードケース保持部２７は、図１に示すように、ポケット２８として形成されている。
【００３３】
上記ポケット２８は、図１に示すように、上記カードケース２１を出し入れするための開口部２９ａ，２９ｂを有している。
【００３４】
上記ポケット２８の開口部２９ａ，２９ｂは、図１に示すように、上記裏表紙１４の幅方向に沿って対向するように配置されている。
即ち、上記ポケット２８は、左右両辺にそれぞれ開口部２９ａ，２９ｂを有している。
【００３５】
また、上記カードケース保持部２７は、図１に示すように、上記裏表紙１４の長さ方向に沿って設けられた帯状部材３０により形成されている。
【００３６】
上記帯状部材３０は長さ方向の両端部のみが上記裏表紙１４に接合されている。
即ち、上記帯状部材３０はその裏側に上記カードケース２１を挿入しうるように形成され、図６に示すように、上記カードケース２１は上記帯状部材３０と上記裏表紙１４との間に挟持される。
【００３７】
なお、上記バインダー１７のオモテ表紙１２には、図１に示すように、裏面側にポケット３１とカード入れ３２ａ，３２ｂ，３２ｃが形成されている。
【００３８】
また、上記バインダー１７には、図７〜図１１に示すように、着脱可能な５種類のリフィル３３，３４ａ，３４ｂ，３５ａ，３５ｂ，３６ａ，３６ｂ，３９ａ，３９ｂが備えられている。なお、図示はしないがインデックス及びブックマークも備えられている。
【００３９】
上記リフィル３３，３４ａ，３４ｂ，３５ａ，３５ｂ，３６ａ，３６ｂ，３９ａ，３９ｂは、自己の願望や夢を実現するための長期的・中期的・短期的における具体的な行動計画を記載できるスケジュール表３７ａ，３７ｂ，３７ｃ，３７ｄ，３７ｅ，３７ｆ，３７ｇ，３７ｈを有している。
【００４０】
図７に示す上記リフィル３３のスケジュール表３７ａは、長期的に、即ち年単位で行動計画を記載できるように作成され、５年に亘って行動計画を立てることができるように年度記載欄４２を有し、さらに、年齢記載欄４３も有している。
なお、上記スケジュール表３７ａには、仕事、趣味、教養、財産、健康、家庭等のタイトルを記載可能な見出し欄４４ａ，４４ｂ，４４ｃ，４４ｄ，４４ｅ，４４ｆも設けられている。
【００４１】
図８に示す上記リフィル３４ａ，３４ｂのスケジュール表３７ｂ，３７ｃは、中期的に、即ち月単位で行動計画を記載できるように作成され、上記スケジュール表３７ｂは１月から６月までの、又、上記スケジュール表３７ｃは７月から翌年３月までの行動計画を立てることができるように形成されている。
また、上記スケジュール表３７ｂにも、仕事、趣味、教養、財産、健康、家庭等のタイトルを記載可能な見出し欄４４ｇ，４４ｈ，４４ｉ，４４ｊ，４４ｋ，４４ｌが設けられている。
なお、上記リフィル３４ａ，３４ｂは連続する２頁の表面と裏面とを表している。
【００４２】
図９に示す上記リフィル３５ａ，３５ｂのスケジュール表３７ｄ，３７ｅは、短期的に、即ち、日単位で行動計画を記載できるように作成され、１ヶ月分の行動計画を立てることができる。また、上記リフィル３５ｂにはメモ欄４５ａも設けられており、日付は未定であっても当該月度内に行うべき事項に関してはメモ欄４５ａに記載することができる。なお、上記リフィル３５ａ，３５ｂも連続する２頁の表面と裏面とを表している。
【００４３】
図１０に示す上記リフィル３６ａ，３６ｂのスケジュール表３７ｆ，３７ｇは、より短期的に、即ち時間単位で１日の行動計画を記載できるように作成され、周単位で行動計画を立てることができる。
また、上記リフィル３６ａ，３６ｂにはメモ欄４５ｂ，４５ｃも設けられており、日付は未定であっても当該週内に行うべき事項に関してはメモ欄４５ａに記載することができる。なお、上記リフィル３６ａ，３６ｂも連続する２頁の表面と裏面とを表している。
【００４４】
図１１に示すリフィル３９ａ，３９ｂは、１日の行動計画を立てることができるように作成され、一方の上記リフィル３９ａには時間単位で行動計画を記載できるスケジュール表３７ｈが設けられ、他方の上記リフィル３９ｂにはメモ欄４０と日記欄４１が設けられており、上記同様に、
なお、上記リフィル３９ａ，３９ｂも連続する２頁の表面と裏面とを表している。
【００４５】
次に、上記実施例の作用について説明する。
例えば、外出先でふと願望、及びその願望を達成するためのアイデア等が心に浮かんだような場合には、上記手帳１１から上記カード１８を取り出してアイデア等を記載する。
上記カード１８を取り出す場合、上記カード１８は上記カードケース２１に保持されていて、上記カードケース２１は上記カードケース保持部２７に収納されているので、まず、上記カードケース２１を上記カードケース保持部２７から抜き取り、次に、上記カードケース２１からカード１８を取り外す。
上記カード１８を上記カードケース２１から取り外すには、上記三角片２４ａ，２４ｂ，２４ｃ，２４ｄから上記カード１８の隅角部を脱出させればよい。
【００４６】
そして、上記カード１８のメモ欄２６に上記の願望、アイデア等の「気づいたこと」を書き留める。なお、上記カード１８を上記カードケース２１に固定した状態であっても、上記カード１８は隅角部のみが上記三角片４ａ，２４ｂ，２４ｃ，２４ｄにより隠蔽され、上記メモ欄２６は露呈しているので、上記メモ欄２６に「気づいたこと」を書き留めることは可能である。その場合は、上記基板部２２が下敷きの役割を果たすので記載しやすい。
【００４７】
各種の「気づいたこと」を記載した上記カード１８は再び上記カードケース２１に固定し、そのカードケース２１は上記カードケース保持部２７に再び収納する。その場合、上記カードケース保持部２７には左右両辺にそれぞれ開口部２９ａ，２９ｂが形成されているので、どちら側からでも収納することができる。
これにより、仕事の合間、日常生活の中で、その都度、様々な「気づいたこと」を迅速、確実に書き留めることができることから、忘れてしまうことなく保存でき、適宜の時間内にスケジュール表への転記が可能となることから、各種の「気づいたこと」を忘れることなくスケジュールの具体化に向けて反映させることができる。
また、上記スケジュール表３７ａ，３７ｂに記載した、「仕事」、「財産」、「趣味」、「健康」、「教養」、「家庭」の各項目に記載した夢、目標を転記し、転記したカード18を常時、上着等のポケットに入れて持ち歩き、時間がある時に繰り返し眺めることにより達成イメージを強固に形成すると共に、達成のために何が必要か、という達成のための手段を考えることができる。
さらに、「時間は必ず守る」等の自分を律する行動基準等を記載する「行動基準カード」として使用することも可能であり、また、例えば、自分の人生における使命とは何か、を意識し、その使命を記載する自分の人生の「ミッションカード」として使用することもできる。
【００４８】
なお、上記カード１８に書き留められた自己の願望を達成するための具体的行動計画を作成することができる。その場合、上記リフィル３３，３４ａ，３４ｂ，３５ａ，３５ｂ，３６ａ，３６ｂ，３９ａ，３９ｂのスケジュール表３７ａ，３７ｂ，３７ｃ，３７ｄ，３７ｅ，３７ｆ，３７ｇ，３７ｈに具体的な行動計画を記載することができる。
上記スケジュール表３７ａ，３７ｂ，３７ｃ，３７ｄ，３７ｅ，３７ｆ，３７ｇ，３７ｈは年、月、周、日及び時間を単位として記載できるように作成されているので、自分のペースに合わせて長期目標、中期目標及び短期目標を立てることができる。
また、上記スケジュール表３７ａ，３７ｂ，３７ｃは、仕事、趣味、教養、財産、健康及び家庭等のタイトル毎に分けて記載できるので、より具体的且つ詳細に目標を設定することができる。
【００４９】
上記のように上記カード１８と上記リフィル３３，３４ａ，３４ｂ，３５ａ，３５ｂ，３６ａ，３６ｂ，３９ａ，３９ｂとを組合わせて使用することにより、自己の願望を達成するための有効なツールとなる。
【産業上の利用可能性】
【００５０】
本考案は願望や夢を書き留めるための手帳やノート等に適用可能である。
【図面の簡単な説明】
【００５１】
【図１】本考案実施例に係るバインダーの斜視図である。
【図２】本考案実施例に係るカードの斜視図である。
【図３】本考案実施例に係るカードケースの表面側の斜視図である。
【図４】本考案実施例に係るカードケースの裏面側の斜視図である。
【図５】本考案実施例に係るカードケースにカードを固定した状態の斜視図である。
【図６】本考案実施例に係るバインダーにカードケースを収納した状態の斜視図である。
【図７】本考案実施例に係るバインダーに取り付けうるリフィルの表面図である。
【図８】本考案実施例に係るバインダーに取り付けうる連続する２頁のリフィルの表面図及び裏面図である。
【図９】本考案実施例に係るバインダーに取り付けうる連続する２頁のリフィルの表面図及び裏面図である。
【図１０】本考案実施例に係るバインダーに取り付けうる連続する２頁のリフィルの表面図及び裏面図である。
【図１１】本考案実施例に係るバインダーに取り付けうる連続する２頁のリフィルの表面図及び裏面図である。
【符号の説明】
【００５２】
１１  手帳  
１２  オモテ表紙
１３  背表紙
１４  裏表紙
１５ａ，１５ｂ，１５ｃ，１５ｄ，１５ｅ，１５ｆ  リング
１６  綴じ具
１７  バインダー
１８  カード
１９  カード保持部
２０  タイトル欄
２１  カードケース
２２  基板部
２３ａ，２３ｂ，２３ｃ，２３ｄ  固定部
２４ａ，２４ｂ，２４ｃ，２４ｄ  三角片
２５ａ，２５ｂ，２５ｃ  ポケット
２６  メモ欄
２７  カードケース保持部
２８  ポケット
２９ａ，２９ｂ  開口部
３０  帯状部材
３１  ポケット
３２ａ，３２ｂ，３２ｃ  カード入れ
３３  リフィル
３４ａ，３４ｂ  リフィル
３５ａ，３５ｂ  リフィル
３６ａ，３６ｂ  リフィル
３７ａ，３７ｂ，３７ｃ，３７ｄ，３７ｅ，３７ｆ，３７ｇ，３７ｈ  スケジュール表
３８  方眼
３９ａ，３９ｂ  リフィル
４０  メモ欄
４１  日記欄
４２  年度記載欄
４３  年齢記載欄
４４ａ，４４ｂ，４４ｃ，４４ｄ，４４ｅ，４４ｆ，４４ｇ，４４ｈ，４４ｉ，４４ｊ，４４ｋ，４４ｌ  見出し欄  
４５ａ，４５ｂ，４５ｃ  メモ欄
【図１】
0003120455.tif 000003
【図２】
0003120455.tif 000004
【図３】
0003120455.tif 000005
【図４】
0003120455.tif 000006
【図５】
0003120455.tif 000007
【図６】
0003120455.tif 000008
【図７】
0003120455.tif 000009
【図８】
0003120455.tif 000010
【図９】
0003120455.tif 000011
【図１０】
0003120455.tif 000012
【図１１】
0003120455.tif 000013